【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
ケース体内に設けられ被搬送物に対する処理を実行する被搬送物処理部と、前記ケース体に設けられ前記被搬送物を挿通可能な開口部と、の間で前記被搬送物を搬送する搬送装置であって、
前記被搬送物の周縁近傍に摺接しつつ前記被搬送物を前記開口部を介して搬入出するためおよび着脱可能に保持するための搬入出保持部を有するとともに、前記被搬送物を搬送する際に前記搬入出保持部を搬送経路に対して進退させる移動部材と、
前記被搬送物処理部および前記移動部材のうち少なくともいずれか一方を前記搬送経路に対して交差する方向に相対的に移動させる相対移動部と、
を具備し、
前記搬入出保持部は、前記被搬送物の周縁近傍に接触し前記被搬送物を搬入出する状態で回転可能に設けられたローラ部材と、前記被搬送物の周縁近傍を着脱可能に保持する保持手段と、を備え、
前記ローラ部材は、前記被搬送物の軸に対して傾斜する回転軸を中心に円周方向に回転する略円板状に形成され、前記略円板状の一面が前記被搬送物の周縁に接触する状態に配設された
ことを特徴とする搬送装置。
【請求項２】
請求項１に記載の搬送装置であって、
前記移動部材は、前記被搬送物処理部に搬送された被搬送物から、前記搬送経路に対して交差する方向への移動が可能となる位置へ退避する
ことを特徴とする搬送装置。
【請求項３】
請求項１または請求項２に記載の搬送装置であって、
前記移動部材は、前記搬送経路の両側縁側に一対で設けられた
ことを特徴とする搬送装置。
【請求項４】
請求項１ないし請求項３のいずれかに記載の搬送装置であって、
前記ローラ部材は、前記回転軸を含む仮想軸および前記被搬送物における前記ローラ部材が接触される周縁を有する平面を含む仮想平面の交点が前記被搬送物の周縁よりも中心側に位置する状態に設けられた
ことを特徴とする搬送装置。
【請求項５】
請求項１ないし請求項４のいずれかに記載の搬送装置であって、
前記ローラ部材は、前記被搬送物の一方の平面の周縁近傍に接触した状態で回転可能に設けられ、
前記保持手段は、前記被搬送物を介して前記ローラ部材と反対側に設けられ前記被搬送物の他方の平面の周縁近傍に当接される他方平面当接部材と、この他方平面当接部材を前記ローラ部材へ向けて付勢して前記他方平面当接部材および前記ローラ部材に前記被搬送物を狭持させる狭持付勢手段と、を備えた
ことを特徴とする搬送装置。
【請求項６】
請求項１ないし請求項５のいずれかに記載の搬送装置であって、
前記一対の移動部材のうち一方の前記移動部材に設けられた前記搬入出保持部は、前記
ローラ部材と、前記保持手段と、を備え、
前記一対の移動部材のうち他方の前記移動部材に設けられた前記搬入出保持部は、前記被搬送物の周縁近傍に接触して前記ローラ部材により搬入出される前記被搬送物を前記搬送経路に沿う状態に案内するとともに着脱可能に保持する他方保持手段を備えた
ことを特徴とする搬送装置。
【請求項７】
請求項１ないし請求項６のいずれかに記載の搬送装置であって、
前記移動部材は、前記搬入出保持部を前記搬送経路に進出および前記搬送経路から後退させる状態に回動可能に設けられた回動部材である
ことを特徴とする搬送装置。
【請求項８】
請求項７に記載の搬送装置であって、
前記回動部材は、長手状に形成され、前記長手状の一端側に前記搬入出保持部を有し、前記長手状の他端側を中心に前記状態に回動可能に設けられたアーム部材である
ことを特徴とする搬送装置。
【請求項９】
請求項８に記載の搬送装置であって、
前記アーム部材は、前記搬入出保持部を前記搬送経路における前記開口部近傍に進出および前記開口部近傍から後退させる長手状に形成された
ことを特徴とする搬送装置。
【請求項１０】
請求項８または請求項９に記載の搬送装置であって、
前記アーム部材は、前記ケース体内における前記被搬送物処理部に配置された前記被搬送物の周縁を囲む領域のうち前記被搬送物の中心に対して前記開口部と反対側の領域に前記他端側が位置する状態に設けられた
ことを特徴とする搬送装置。
【請求項１１】
請求項１ないし請求項１０のいずれかに記載の搬送装置であって、
前記移動部材を前記搬入出保持部が前記開口部から臨む状態に位置させ、前記移動部材を移動させて前記搬入出保持部を前記被搬送物の周縁近傍に摺接させつつ前記搬入出保持部に前記被搬送物を前記搬入経路に沿って前記開口部を介して搬入させて保持させ、前記被搬送物処理部および前記移動部材のうち少なくともいずれか一方を相対的に移動させて前記搬入出保持部に前記被搬送物を前記被搬送物処理部へ配置させ、前記移動部材を移動させて前記搬入出保持部を前記被搬送物から離隔させ、前記移動部材を前記搬入出保持部が前記開口部から臨む状態に位置させる搬送制御部を具備した
ことを特徴とする搬送装置。
【請求項１２】
請求項１１に記載の搬送装置であって、
前記移動部材を前記搬入出保持部が前記搬送経路に進出する方向に移動する状態に付勢する付勢手段を具備し、
前記搬送制御部は、前記搬入出保持部に前記被搬送物を保持させる際に前記付勢手段の付勢を利用して前記移動部材を移動させて前記搬入出保持部を前記被搬送物の周縁近傍に摺接させ、前記搬入出保持部を前記被搬送物から離隔させる際に前記付勢手段の付勢に抗して前記移動部材を前記搬入出保持部を前記搬送経路から後退させる状態に移動させる
ことを特徴とする搬送装置。
【請求項１３】
請求項１１または請求項１２に記載の搬送装置であって、
前記相対移動部は、前記移動部材を前記搬送経路に対して交差する方向に移動させ、
前記搬送制御部は、前記移動部材を前記搬入出保持部が前記開口部から臨む位置まで移動させる処理を前記移動部材を前記搬入出保持部が前記開口部から臨む状態に位置させる
処理として実施し、前記移動部材を前記被搬送物処理部の近傍に移動させる処理を前記被搬送物処理部および前記移動部材のうち少なくともいずれか一方を相対的に移動させる処理として実施する
ことを特徴とする搬送装置。
【請求項１４】
ディスク状の被搬送物を挿通可能な開口部を有するケース体と、
このケース体内に設けられ前記被搬送物を処理する被搬送物処理部と、
前記ケース体内に設けられた請求項１ないし請求項１３のいずれかに記載の搬送装置と、
この搬送装置の前記移動部材に設けられ前記被搬送物の周縁近傍に摺接しつつ前記被搬送物を前記開口部を介して搬入出するためおよび着脱可能に保持するための搬入出保持部と、
を具備したことを特徴とするディスク装置。
【請求項１５】
請求項１４に記載のディスク装置であって、
前記被搬送物は、一面に情報が記録される記録面を有したディスク状記録媒体であり、
前記被搬送物処理部は、前記一面に記録された前記情報を読み取る処理および前記記録面に情報を記録する処理のうち少なくともいずれか一方の処理を実施する情報処理部である
ことを特徴とするディスク装置。
【請求項１６】
請求項１４または請求項１５に記載のディスク装置であって、
前記ケース体は、移動体に配設された
ことを特徴とするディスク装置。
【手続補正２】
【補正対象書類名】明細書
【補正対象項目名】０００８
【補正方法】変更
【補正の内容】
【０００８】
請求項１に記載の発明は、ケース体内に設けられ被搬送物に対する処理を実行する被搬送物処理部と、前記ケース体に設けられ前記被搬送物を挿通可能な開口部と、の間で前記被搬送物を搬送する搬送装置であって、前記被搬送物の周縁近傍に摺接しつつ前記被搬送物を前記開口部を介して搬入出するためおよび着脱可能に保持するための搬入出保持部を有するとともに、前記被搬送物を搬送する際に前記搬入出保持部を搬送経路に対して進退させる移動部材と、前記被搬送物処理部および前記移動部材のうち少なくともいずれか一方を前記搬送経路に対して交差する方向に相対的に移動させる相対移動部と、を具備し、前記搬入出保持部は、前記被搬送物の周縁近傍に接触し前記被搬送物を搬入出する状態で回転可能に設けられたローラ部材と、前記被搬送物の周縁近傍を着脱可能に保持する保持手段と、を備え、前記ローラ部材は、前記被搬送物の軸に対して傾斜する回転軸を中心に円周方向に回転する略円板状に形成され、前記略円板状の一面が前記被搬送物の周縁に接触する状態に配設されたことを特徴とする搬送装置である。
【手続補正３】
【補正対象書類名】明細書
【補正対象項目名】０００９
【補正方法】変更
【補正の内容】
【０００９】
請求項１４に記載の発明は、ディスク状の被搬送物を挿通可能な開口部を有するケース体と、このケース体内に設けられ前記被搬送物を処理する被搬送物処理部と、前記ケース体内に設けられた請求項１ないし請求項１３のいずれかに記載の搬送装置と、この搬送装置の前記移動部材に設けられ前記被搬送物の周縁近傍に摺接しつつ前記被搬送物を前記開口部を介して搬入出するためおよび着脱可能に保持するための搬入出保持部と、を具備したことを特徴とするディスク装置である。